(57)【要約】【課題】ブレードの搭載数が少ない場合には小型化とハードウェア資源の削減が可能なブレードサーバを得る。【解決手段】サーバ機能を有するサーバブレード３と、複数のサーバブレード３を搭載可能なユニット１Ａ〜１Ｄとを備え、ユニット１Ａ〜１Ｄは  他のユニット１Ａ〜１Ｄと接続可能なインタフェースと、スイッチモジュール４と、ＰＳＵ５、ファン６を備える。【選択図】図１
2011022804.tif 000002
【特許請求の範囲】
【請求項１】
サーバ機能を有するブレードと、
複数の前記ブレードを搭載可能なユニットと、を備え、
前記ユニットは、
他の前記ユニットと接続可能なインタフェースと、
前記ユニット内に搭載された前記ブレードのための周辺装置を備えた、ブレードサーバ。
【請求項２】
請求項１に記載のブレードサーバにおいて、
前記周辺装置は、スイッチモジュールを含む、ブレードサーバ。
【請求項３】
請求項１または２に記載のブレードサーバにおいて、
前記周辺装置は、ＰＳＵを含む、ブレードサーバ。
【請求項４】
請求項１から３のいずれかに記載のブレードサーバにおいて、
前記周辺装置は、冷却ファンを含む、ブレードサーバ。
【請求項５】
請求項１から４のいずれかに記載のブレードサーバにおいて、
前記インタフェースは、
前記サーバブレードの動作中も、前記ユニット同士を脱着可能である、ブレードサーバ。
【請求項６】
請求項１から５のいずれかに記載のブレードサーバにおいて、
互いに接続された複数の前記ユニットのうちの少なくとも１台のユニットは、
各々の前記ユニットを制御する制御手段を備えた、ブレードサーバ。
【発明の詳細な説明】
【技術分野】
【０００１】
本発明は、ブレードサーバに関する。
【背景技術】
【０００２】
ブレードサーバは、サーバコンピュータの機能が実装された基板（ブレード）を、筐体の差込口に複数取り付けることにより構成されている。ブレードサーバでは、用途に応じて取り付けるブレードの数を調節することにより、所望の性能を有するサーバを構成することができる。
例えば、特許文献１には、１または複数のスロットにブレード型コンピュータ（ブレード）を搭載するシャーシと、１または複数のシャーシを搭載可能なサーバラックと、各ブレードとネットワークを介して接続される管理コンピュータにより構成されるブレード型コンピュータ管理システムが記載されている。
【先行技術文献】
【特許文献】
【０００３】
【特許文献１】特開２００８−１５８０３号公報
【発明の概要】
【発明が解決しようとする課題】
【０００４】
しかし、従来のブレードサーバは、ブレードを搭載する筐体のサイズが決まっており、ブレードの搭載数が少ない場合でも最大限に搭載する場合と同じ筐体を使用しているため、ブレードを搭載しないスロットが空きスペースとなり、無駄なスペースが発生していた。また、ハードウェアの部品点数も最大限に搭載した時と同じであり、筐体の価格が高価になっていた。また、筐体をラックシステムに取り付ける際にも、筐体が大きくて重いため、取り付けが容易ではなかった。
また、特許文献１に記載されたブレード型コンピュータ管理システムでは、ＰＳＵ（電源ユニット）や冷却ファン等の周辺装置については筐体単位で搭載される。このため、ブレードの数に関わらず、ブレードを最大限に搭載した場合と同じだけのハードウェア資源の装備が必要となってしまう。
【０００５】
そこで本発明の目的は、ブレードの搭載数が少ない場合には小型化とハードウェア資源の削減が可能なブレードサーバを得ることである。
【課題を解決するための手段】
【０００６】
本発明に係るブレードサーバは、サーバ機能を有するブレードと、複数のブレードを搭載可能なユニットとを備え、ユニットは、他のユニットと接続可能なインタフェースと、ユニット内に搭載されたブレードのための周辺装置を備える。
【発明の効果】
【０００７】
本発明によれば、ユニット単位でブレードサーバの増設が可能なため、ブレードの搭載数が少ない場合にはサーバの小型化とハードウェア資源の削減が可能になる。
【図面の簡単な説明】
【０００８】
【図１】本発明によるブレードサーバの構成を示す図である。
【図２Ａ】本実施形態によるブレードサーバの具体例を示す正面図である。
【図２Ｂ】本実施形態によるブレードサーバの具体例を示す裏面図である。
【発明を実施するための形態】
【０００９】
次に、本発明を実施するための最良の形態について、図面を参照して詳細に説明する。
図１は、本発明によるブレードサーバの構成を示す図である。図に示すように、本発明によるブレードサーバは、ユニット１Ａ〜１Ｄを含む。各々のユニットは、ミッドプレーン２Ａ〜２Ｄを有する。各々のミッドプレーン２Ａ〜２Ｄには、サーバブレード３を最大４台接続できる。また、各々のミッドプレーン２Ａ〜２Ｄには、スイッチモジュール４を最大２台まで、ＰＳＵ（Ｐｏｗｅｒ  Ｓｕｐｐｌｙ  Ｕｎｉｔ）５を最大２台まで、ファン６を最大２台まで接続できる。サーバブレード３は、一般的なサーバ装置の機能を有している。スイッチモジュール４は、ネットワーク用のモジュールや、ファイバーチャネル用のモジュールなどであり、サーバブレード３に設けられたコントローラに合わせて自由に搭載することができる。
【００１０】
各々のミッドプレーン２Ａ〜２Ｄは、同一の構成を有しており、ミッドプレーン同士を接続することにより、サーバブレード３の増設が可能となる。基本となるミッドプレーン２Ａには、各々のミッドプレーンを制御するＥＭカード（制御手段）７が接続されている。ＥＭカード７は、例えば、ユニットの増設、分離を検知する。各ユニットのまた、ミッドプレーン２Ａは、ディスプレイ、キーボード、マウス等をブレードサーバに接続するためのインタフェースコネクタを有している。
【００１１】
図２Ａ，Ｂは、本実施形態によるブレードサーバの具体例を示す図である。図２Ａはブレードサーバの正面図、図２Ｂはブレードサーバの裏面図である。図２Ａ、図２Ｂに示すブレードサーバは、最大でサーバブレード（ＳｅｒｖｅｒＢｌａｄｅ）１６台、スイッチモジュール（Ｓｗｉｔｃｈ  Ｍｏｄｕｌｅ）８台、ＰＳＵ８台、ファン（ＦＡＮ）８台を取り付けられる構成である。
【００１２】
各ユニット（Ｕｎｉｔ１〜４）は筐体構造になっており、筐体内に、ミッドプレーン、サーバブレード、スイッチモジュール、ＰＳＵ、及びファンが格納されている。各ユニットには、ミッドプレーンが１台搭載されている。ミッドプレーンにはサーバブレードが少なくとも１台搭載され、最大で４台まで搭載することができる。スイッチモジュールは１つのミッドプレーンに２台まで、ＰＳＵ及びファンは、最大２台まで搭載が可能であり、搭載するサーバブレードの数に合わせてこれらの周辺装置の搭載数が決められる。また、基本となるＵｎｉｔ１には、ＥＭカード（ＥＭ１，２）が２枚まで搭載可能である。ＥＭカードは１枚搭載されていればよいが、必要に応じて２枚搭載し、ＥＭカードを二重化することもできる。
【００１３】
各々のユニットは、ユニット同士を接続するインタフェースを有しており、サーバブレードの搭載台数が４台を超える場合には、ユニットを１台増設してユニット同士を接続することにより、簡易にブレードサーバを増設することができる。なお、このインタフェースは、サーバの稼働中であっても接続及び分離が可能なホットプラグに対応しているため、サーバの稼働中でも、ユニット単位でサーバブレードの増設や取り外しができる。このようにして、例えばユニット４台を接続すれば、サーバブレードを最大１６台まで搭載することができる。
【００１４】
このように、本実施形態によれば、ユニットを増設することにより、使用者が要求するブレード搭載数に合わせてユニット単位で簡易にブレードサーバを構築することができる。また、ユニット単位でブレードを増設していけるため、ブレードの搭載台数が少ない場合には、ブレードサーバの小型化が図れるとともに、ブレードが取り付けられていないスロット（空きスペース）を極力少なくすることができる。また、ユニット毎にスイッチモジュール、ＰＳＵ、ファン等のハードウェア部品を搭載しているので、ブレードの搭載数が少ない場合に、不要なスイッチモジュール、ＰＳＵ、ファン等のハードウェア部品を搭載する必要がない。
【００１５】
また、ブレードサーバをラックシステムに取り付ける場合にも、比較的小型で軽量のユニット単位での取り付けが可能なため、取り付けが容易になる。
【００１６】
また、基本となる１台目のユニットにはＥＭカードが搭載されているため、ユニットが増設または分離されたことを検知でき、ユニット同士を接続しただけで各ユニットを制御することができる。
【００１７】
また、各ユニットはスイッチモジュールを有しているため、ブレードサーバの一般的な機能であるケーブルレスの入出力機構も実現することができる。
【００１８】
なお、上記の実施形態では、ユニット数が４台で、サーバブレードを最大１６台搭載できる例を示したが、ユニットの接続数はこれに限られず、ユニットをさらに増設することにより、サーバブレードをいくらでも増設することが可能であり、大規模なサーバシステムを構築することも可能である。このように、本発明に係るブレードサーバは、システムの小型化、大規模化の両方に対応可能であり、規模に見合った大きさの筐体及びハードウェア資源の量を実現することができる。
【符号の説明】
【００１９】
１Ａ，１Ｂ，１Ｃ，１Ｄ  ユニット、２Ａ、２Ｂ、２Ｃ、２Ｄ  ミッドプレーン、３  サーバブレード、４  スイッチモジュール、５  ＰＳＵ、６  ファン、７  ＥＭカード
【図１】
2011022804.tif 000003
【図２Ａ】
2011022804.tif 000004
【図２Ｂ】
2011022804.tif 000005